(57)【要約】【課題】装置交換時の作業効率を向上させる手段を提供する。【解決手段】主処理装置と、情報処理装置と、前記情報処理装置に着脱可能な外部記憶装置とを有する情報処理システムであって、前記情報処理装置は、前記通信回線に接続された前記主処理装置および他の前記情報処理装置との間で通信を行う通信部と、前記外部記憶装置との間で情報の入出力を行う入出力部と、前記通信部および前記入出力部の制御を行う制御部と、を有し、前記外部記憶装置は、前記通信部で通信を行うために必要な通信設定情報と、前記通信回線に接続されたすべての情報処理装置の設置を完了したか否かを表す設置情報とを記憶し、前記制御部は、前記通信回線に接続され、初めて通信を行う場合の前記通信部の通信設定を行うとき、前記外部記憶装置から前記設置情報を入力し、前記設置情報が完了を表す場合、前記外部記憶装置に記憶されている通信設定情報を使用して前記通信部の設定を行う。【選択図】        図２
2018167414.tif 000002
【特許請求の範囲】
【請求項１】
主処理装置と、情報処理装置と、前記情報処理装置に着脱可能な外部記憶装置とを有する情報処理システムであって、
前記主処理装置は、前記情報処理装置と通信回線を介して接続され、
前記情報処理装置は、
前記通信回線に接続された前記主処理装置および他の前記情報処理装置との間で通信を行う通信部と、
前記外部記憶装置との間で情報の入出力を行う入出力部と、
前記通信部および前記入出力部の制御を行う制御部と、
を有し、
前記外部記憶装置は、
前記通信部で通信を行うために必要な通信設定情報と、
前記通信設定情報に含まれ、該通信設定情報を使用した前記通信部での通信が可能となり、前記通信回線に接続されたすべての情報処理装置の設置を完了したか否かを表す設置情報とを記憶し、
前記制御部は、
前記通信回線に接続され、初めて通信を行う場合の前記通信部の通信設定を行うとき、前記外部記憶装置から前記設置情報を取得し、
前記設置情報が完了を表す場合、前記外部記憶装置に記憶されている通信設定情報を使用して前記通信部の設定を行うことを特徴とする情報処理システム。
【請求項２】
請求項１に記載の情報処理システムにおいて、
前記通信設定情報は、前記通信部での通信が可能と判定されたときの設定情報であり、
前記外部記憶装置は、他の情報処理装置である第２の情報処理装置により、前記設置情報が記憶されるとき、前記第２の情報処理装置の前記通信設定情報が記憶され、
前記制御部は、
前記通信部の設定において、前記設置情報が完了を表す場合、前記外部記憶装置に記憶されている第２の情報処理装置の通信設定情報を自情報処理装置である第１の情報処理装置の通信設定情報として前記通信部に設定して通信を行うことを特徴とする情報処理システム。
【請求項３】
請求項１に記載の情報処理システムにおいて、
前記通信設定情報は、前記通信部での通信が可能と判定されたときの設定情報であり、
前記外部記憶装置は、他の情報処理装置である第２の情報処理装置により、前記設置情報が記憶され、それぞれの情報処理装置の前記通信設定情報が蓄積された蓄積通信設定情報が記憶され、
前記制御部は、
前記通信部の設定において、前記設置情報が完了を表す場合、前記蓄積通信設定情報のそれぞれの前記通信設定情報に含まれる宛先を送信先として前記通信部で通信確認を行い、通信不可と判定された前記宛先を含む前記通信設定情報を自情報処理装置である第１の情報処理装置の通信設定情報として前記通信部に設定して通信を行うことを特徴とする情報処理システム。
【請求項４】
通信回線に接続された主処理装置および他の情報処理装置との間で通信を行う通信部と、
前記通信部で通信を行うために必要な通信設定情報と、前記通信設定情報に含まれ、該通信設定情報を使用した前記通信部での通信が可能となり、前記通信回線に接続されたすべての情報処理装置の設置を完了したか否かを表す設置情報とが記憶された外部記憶装置との間で情報の入出力を行う入出力部と、
前記通信部および前記入出力部の制御を行う制御部と、
を有し、
前記制御部は、
前記通信回線に接続され、初めて通信を行う場合の前記通信部の通信設定を行うとき、前記外部記憶装置から前記設置情報を取得し、
前記設置情報が完了を表す場合、前記外部記憶装置に記憶されている通信設定情報を使用して前記通信部の設定を行うことを特徴とする情報処理装置。
【請求項５】
請求項４に記載の情報処理装置において、
前記通信設定情報は、前記通信部での通信が可能と判定されたときの設定情報であり、
前記外部記憶装置は、情報処理装置本体に対して着脱可能であり、他の情報処理装置である第２の情報処理装置により、前記設置情報が記憶されるとき、前記第２の情報処理装置の前記通信設定情報が記憶され、
前記制御部は、
前記通信部の設定において、前記設置情報が完了を表す場合、前記外部記憶装置に記憶されている第２の情報処理装置の通信設定情報を自情報処理装置である第１の情報処理装置の通信設定情報として前記通信部に設定して通信を行うことを特徴とする情報処理装置。
【請求項６】
請求項５に記載の情報処理装置において、
前記第２の情報処理装置の制御部は、前記通信部で受信した指令に従って前記設置情報を前記外部記憶装置に記憶させることを特徴とする情報処理装置。
【請求項７】
請求項６に記載の情報処理装置において、
前記第２の情報処理装置の制御部は、前記通信回線に接続されたホストコンピュータから前記指令を受信することを特徴とする情報処理装置。
【請求項８】
請求項６に記載の情報処理装置において、
前記第２の情報処理装置の制御部は、前記通信回線に接続された他の情報処理装置から前記指令を受信することを特徴とする情報処理装置。
【請求項９】
請求項８に記載の情報処理装置において、
前記外部記憶装置は、装着されたすべての情報処理装置の前記通信設定情報が蓄積されて記憶されるとともに、接続予定台数を表す情報が記憶され、
前記第２の情報処理装置の制御部は、前記通信設定情報の数が前記接続予定台数と一致したとき、前記設置情報を前記外部記憶装置に記憶させるとともに、前記指令を他の情報処理装置へ送信し、前記他の情報処理装置の制御部により前記設置情報を前記外部記憶装置に記憶させることを特徴とする情報処理装置。
【請求項１０】
請求項４に記載の情報処理装置において、
前記通信設定情報は、前記通信部での通信が可能と判定されたときの設定情報であり、
前記外部記憶装置は、情報処理装置本体に対して着脱可能であり、他の情報処理装置である第２の情報処理装置により、前記設置情報が記憶され、それぞれの情報処理装置の前記通信設定情報が蓄積された蓄積通信設定情報が記憶され、
前記制御部は、
前記通信部の設定において、前記設置情報が完了を表す場合、前記蓄積通信設定情報のそれぞれの前記通信設定情報に含まれる宛先を送信先として前記通信部で通信確認を行い、通信不可と判定された前記宛先を含む前記通信設定情報を自情報処理装置である第１の情報処理装置の通信設定情報として前記通信部に設定して通信を行うことを特徴とする情報処理装置。
【請求項１１】
請求項１０に記載の情報処理装置において、
前記第２の情報処理装置の制御部は、前記通信回線に接続されたホストコンピュータから前記通信部で受信した指令に従って前記設置情報を前記外部記憶装置に記憶させることを特徴とする情報処理装置。
【請求項１２】
請求項１０に記載の情報処理装置において、
前記第２の情報処理装置の制御部は、
前記通信部での通信が可能と判定されたときの通信設定情報を記憶部に記憶しておき、
前記外部記憶装置に記憶された前記蓄積通信設定情報内に、前記記憶部に記憶された通信設定情報と一致する通信設定情報が存在すると判定したとき、前記設置情報を前記外部記憶装置に記憶させることを特徴とする情報処理装置。
【請求項１３】
請求項５または請求項１０に記載の情報処理装置において、
前記第２の情報処理装置の制御部は、前記通信回線とは異なる外部接続部に接続された外部装置から指令を受信し、前記指令に従って前記設置情報を前記外部記憶装置に記憶させることを特徴とする情報処理装置。
【請求項１４】
請求項４から請求項１３のいずれかに記載の情報処理装置において、
前記制御部は、前記通信設定情報に含まれる宛先を送信先とし、前記通信回線に接続されたホストコンピュータとの間で通信確認を行うことを特徴とする情報処理装置。
【請求項１５】
請求項４から請求項１４のいずれかに記載の情報処理装置において、
前記制御部は、
前記設置情報が未完了を表す場合、前記外部記憶装置に記憶されている通信設定情報と異なる通信設定情報で前記通信部の通信設定を行うことを特徴とする情報処理装置。
【請求項１６】
請求項４から請求項１５のいずれかに記載の情報処理装置において、
前記制御部は、前記通信設定情報以外の設定情報として、印刷に係る設定情報、装置の環境設定情報、オプションモジュールの設定情報、ユーザ情報、通信部に接続される外部装置の設定情報のうち少なくとも１つの設定情報を前記外部記憶装置に記憶させることを特徴とする情報処理装置。
【請求項１７】
請求項１６に記載の情報処理装置において、
前記制御部は、前記外部記憶装置に記憶させた前記通信設定情報以外の設定情報を自情報処理装置に設定することを特徴とする情報処理装置。
【請求項１８】
請求項４から請求項１７のいずれかに記載の情報処理装置を有することを特徴とする画像形成装置。
【発明の詳細な説明】
【技術分野】
【０００１】
本発明は、情報処理装置および画像形成装置が通信回線を介して接続された情報処理システム、情報処理装置および画像形成装置に関する。
【背景技術】
【０００２】
従来の情報処理装置は、通信回線に新たに接続する場合、装着された外部メモリに記憶されている装置の固有情報とネットワークアドレス情報とを参照し、装置の固有情報が以前に接続されていた装置の固有情報と一致しないとき、外部メモリに記憶されたネットワークアドレスと重複しないネットワークアドレスを設定し、同一の通信回線に接続された他の機器との通信ができるように設定を行うようにしている（例えば、特許文献１参照）。
【先行技術文献】
【特許文献】
【０００３】
【特許文献１】特開２００６−２２９６６２号公報
【発明の概要】
【発明が解決しようとする課題】
【０００４】
しかしながら、従来の技術においては、通信回線に接続された情報処理装置を交換する場合、装置の固有情報が以前に接続されていた装置の固有情報と一致しないため、外部メモリに記憶されているネットワークアドレスと重複しないネットワークアドレス等の設定情報が設定される。情報処理装置を交換したとき、交換後も交換前と同一の設定情報で動作することが求められる場合、交換後の情報処理装置に対して設定装置を接続し、その設定装置から再度設定を行う必要があり、装置交換時の作業効率が低下してしまうという問題がある。
【０００５】
本発明は、このような問題を解決することを課題とし、装置交換時の作業効率を向上させることを目的とする。
【課題を解決するための手段】
【０００６】
そのため、本発明は、主処理装置と、情報処理装置と、前記情報処理装置に着脱可能な外部記憶装置とを有する情報処理システムであって、前記主処理装置は、前記情報処理装置と通信回線を介して接続され、前記情報処理装置は、前記通信回線に接続された前記主処理装置および他の前記情報処理装置との間で通信を行う通信部と、前記外部記憶装置との間で情報の入出力を行う入出力部と、前記通信部および前記入出力部の制御を行う制御部と、を有し、前記外部記憶装置は、前記通信部で通信を行うために必要な通信設定情報と、前記通信設定情報に含まれ、該通信設定情報を使用した前記通信部での通信が可能となり、前記通信回線に接続されたすべての情報処理装置の設置を完了したか否かを表す設置情報とを記憶し、前記制御部は、前記通信回線に接続され、初めて通信を行う場合の前記通信部の通信設定を行うとき、前記外部記憶装置から前記設置情報を取得し、前記設置情報が完了を表す場合、前記外部記憶装置に記憶されている通信設定情報を使用して前記通信部の設定を行うことを特徴とする。
【発明の効果】
【０００７】
このようにした本発明は、装置交換時の作業効率を向上させることができるという効果が得られる。
【図面の簡単な説明】
【０００８】
【図１】第１の実施例における画像形成装置の構成を示すブロック図
【図２】第１の実施例におけるネットワーク接続の構成を示すブロック図
【図３】第１の実施例におけるネットワーク接続の構成を示すブロック図
【図４】第１の実施例におけるネットワーク接続の構成を示すブロック図
【図５】第１の実施例におけるネットワーク接続の構成を示すブロック図
【図６】第１の実施例における外部メモリに記憶される情報の説明図
【図７】第１の実施例における設定処理の流れを示すフローチャート
【図８】第１の実施例における設定済コマンド受信処理の流れを示すフローチャート
【図９】第１の実施例における外部メモリに記憶される情報の説明図
【図１０】第２の実施例におけるネットワーク接続の構成を示すブロック図
【図１１】第２の実施例における外部メモリに記憶される情報の説明図
【図１２】第２の実施例における設定処理の流れを示すフローチャート
【図１３】第３の実施例におけるネットワーク接続の構成を示すブロック図
【図１４】第３の実施例における外部メモリに記憶される情報の説明図
【図１５】第３の実施例における設定処理の流れを示すフローチャート
【図１６】第３の実施例における設定済コマンド受信処理の流れを示すフローチャート
【図１７】第３の実施例における設定済解除コマンド受信処理の流れを示すフローチャート
【図１８】第４の実施例における設定処理の流れを示すフローチャート
【発明を実施するための形態】
【０００９】
以下、図面を参照して本発明による情報処理システム、情報処理装置および画像形成装置の実施例を説明する。
【実施例１】
【００１０】
図１は第１の実施例における画像形成装置の構成を示すブロック図である。
図１において、情報処理装置としての画像形成装置１１０は、例えば印刷媒体に画像を形成するプリンタ等である。なお、本実施例では、画像形成装置１１０を例として説明するが、それに限られるものでなく、コンピュータ等の情報処理装置であっても良く、画像形成装置１１０はその情報処理装置を有するものであっても良い。
【００１１】
画像形成装置１１０は、表示部１１１と、操作部１１２と、制御部１１３と、記憶部１１４と、印刷部１１５と、ネットワーク接続部１１６と、外部メモリ接続部１１７と、電源部１１８とを有している。
表示部１１１は、ディスプレイ等の出力手段であり、画像形成装置１１０の状態等の各種情報を表示するものである。例えば、表示部１１１は、印刷部１１５が印刷データを印刷しているときに「印刷中」等の装置の状態を表す情報を表示する。
【００１２】
操作部１１２は、操作キーやタッチパネル等の入力手段であり、操作者の入力操作を受け付けるものである。操作部１１２は、受け付けた入力操作による入力情報を制御部１１３に通知する。
【００１３】
記憶部１１４は、メモリ等の記憶手段であり、画像形成装置１１０での処理において必要な情報を記憶するものである。例えば、記憶部１１４は、ネットワーク接続部１１６が通信回線としてのネットワーク１５０に接続するために必要なネットワーク設定情報等を記憶する。
【００１４】
通信部としてのネットワーク接続部１１６は、ネットワーク１５０に接続され、ネットワーク１５０を介して外部装置との間で通信設定情報に従い所定の通信規約に則って通信を行うものである。ネットワーク接続部１１６は、有線や無線のＬＡＮ（Ｌｏｃａｌ  Ａｒｅａ  Ｎｅｔｗｏｒｋ）インターフェースとして機能し、ＬＡＮに接続された外部装置としてのパーソナルコンピュータ（以下、「ＰＣ」という。）や他の画像形成装置１１０との間でＴＣＰ／ＩＰ（Ｔｒａｎｓｍｉｓｓｉｏｎ  Ｃｏｎｔｒｏｌ  Ｐｒｏｔｏｃｏｌ／Ｉｍｔｅｒｎｅｔ  Ｐｒｏｔｏｃｏｌ）に則って情報の送受信を行い、例えば、ＰＣから印刷データ等を受信する。なお、ネットワーク接続部１１６が受信した印刷データは、制御部１１３によって記憶部１１４に記憶される。
【００１５】
印刷部１１５は、記憶部１１４に記憶された印刷データを印刷するものである。
入出力部としての外部メモリ接続部１１７は、接続された外部メモリ１３０（１３１）との間で通信を行い、情報の送受信（入出力）を行うものである。なお、外部メモリ１３０（１３１）は、例えばメモリカードやＵＳＢ（Ｕｎｉｖｅｒｓａｌ  Ｓｅｒｉａｌ  Ｂｕｓ）メモリ等である。
【００１６】
外部記憶装置としての外部メモリ１３０（１３１）は、ネットワーク接続部１１６で通信を行うために必要な通信設定情報と、その通信設定情報に含まれ、該通信設定情報を使用したネットワーク接続部１１６での通信が可能となり、ネットワーク１５０に接続されたすべての情報処理装置の設置を完了したか否かを表す設置情報としての設置済みフラグとを記憶する。外部メモリ１３０および外部メモリ１３１は、同一の構成であり、画像形成装置１１０の本体に対して着脱可能に構成されている。
【００１７】
電源部１１８は、表示部１１１、操作部１１２、制御部１１３、記憶部１１４、印刷部１１５、ネットワーク接続部１１６、および外部メモリ接続部１１７に電力を供給するものである。
制御部１１３は、ＣＰＵ等の制御手段を備え、記憶部１１４に記憶された制御プログラムに基づいて表示部１１１、操作部１１２、制御部１１３、記憶部１１４、印刷部１１５、ネットワーク接続部１１６、外部メモリ接続部１１７、および電源部１１８を制御し、画像形成装置１１０全体の動作を制御するものである。
【００１８】
図２から図５は第１の実施例におけるネットワーク接続の構成を示すブロック図である。
図２において、情報処理システムとしてのネットワーク接続構成１００は、画像形成装置１１０ａ、１１０ｂ、１１０ｃと、ホストＰＣ１２１と、外部メモリ１３０ａと、ネットワーク１５０とを有している。なお、以下の説明において、ネットワーク接続構成は、情報処理システムを表すものである。
【００１９】
画像形成装置１１０ａ、１１０ｂ、１１０ｃと、主処理装置としてのホストＰＣ１２１とは、ネットワーク１５０を介して通信可能に接続され、情報処理システムを構成している。
画像形成装置１１０ａ、１１０ｂ、１１０ｃは、図１に示す画像形成装置１１０と同一の構成を有するものであり、図１に示すネットワーク接続部１１６を介してネットワーク１５０と接続されている。
【００２０】
また、画像形成装置１１０ａには、図１に示す外部メモリ接続部１１７を介して外部メモリ１３０ａが接続されている。
図３において、ネットワーク接続構成１０１は、画像形成装置１１０ａ、１１０ｂ、１１０ｃと、ホストＰＣ１２１と、外部メモリ１３１ａ、１３１ｂ、１３１ｃと、ネットワーク１５０とを有している。
【００２１】
画像形成装置１１０ａ、１１０ｂ、１１０ｃと、ホストＰＣ１２１とは、ネットワーク１５０を介して通信可能に接続されている。
画像形成装置１１０ａ、１１０ｂ、１１０ｃは、図１に示す画像形成装置１１０と同一の構成を有するものであり、図１に示すネットワーク接続部１１６を介してネットワーク１５０と接続されている。
【００２２】
また、画像形成装置１１０ａ、１１０ｂ、１１０ｃには、図１に示す外部メモリ接続部１１７を介してそれぞれ外部メモリ１３１ａ、１３１ｂ、１３１ｃが接続されている。
図４において、ネットワーク接続構成１０２は、画像形成装置１１０ｄ、１１０ｅと、ホストＰＣ１２１と、外部メモリ１３１ｄと、ネットワーク１５０とを有している。
【００２３】
画像形成装置１１０ｄ、１１０ｅと、ホストＰＣ１２１とは、ネットワーク１５０を介して通信可能に接続されている。
画像形成装置１１０ｄ、１１０ｅは、図１に示す画像形成装置１１０と同一の構成を有するものであり、図１に示すネットワーク接続部１１６を介してネットワーク１５０と接続されている。
【００２４】
また、画像形成装置１１０ｄには、図１に示す外部メモリ接続部１１７を介して外部メモリ１３１ｄが接続されている。
図５において、ネットワーク接続構成１０３は、画像形成装置１１０ｄ、１１０ｅと、ホストＰＣ１２１と、外部メモリ１３１ｄと、ネットワーク１５０とを有している。
【００２５】
画像形成装置１１０ｄ、１１０ｅと、ホストＰＣ１２１とは、ネットワーク１５０を介して通信可能に接続されている。
画像形成装置１１０ｄ、１１０ｅは、図１に示す画像形成装置１１０と同一の構成を有するものであり、図１に示すネットワーク接続部１１６を介してネットワーク１５０と接続されている。
【００２６】
また、画像形成装置１１０ｅには、図１に示す外部メモリ接続部１１７を介して外部メモリ１３１ｄが接続されている。
【００２７】
図６は第１の実施例における外部メモリに記憶される情報の説明図である。
図６において、通信設定情報としての設定情報２００は、図１に示す外部メモリ１３０、および図２から図５に示す外部メモリ１３０ａ、１３１ａ、１３１ｂ、１３１ｃ、１３１ｄに記憶される情報である。
【００２８】
設定情報２００は、装置名２０１と、設置済みフラグ２０２と、固有番号２０３と、ＩＰ（Ｉｎｔｅｒｎｅｔ  Ｐｒｏｔｏｃｏｌ）アドレス２０４とを有し、装置名２０１、設置済みフラグ２０２、固有番号２０３、およびＩＰアドレス２０４が関連付けられて記憶されている。
装置名２０１は、図１に示すネットワーク１５０に接続されている装置の名称を表す情報である。
【００２９】
設置済みフラグ２０２は、図１に示すネットワーク１５０に接続され、設置済みか否かを表す情報である。「あり」で設置済みを表し、「なし」で設置済みでないことを表す。
【００３０】
ここで、設置済みとは、ネットワーク１５０に接続されるすべての画像形成装置１１０のネットワーク接続設定（設置）を完了した状態であることを表す情報である。例えば、図３に示すネットワーク構成１０１が構築され、画像形成装置１１０ａ、画像形成装置１１０ｂ、画像形成装置１１０ｃ、およびホストＰＣ１２１がネットワーク１５０を介して通信可能な状態であり、ネットワーク１５０に接続されるすべての画像形成装置１１０ａ、１１０ｂ、１１０ｃのネットワーク接続設定（設置）を完了した状態であることを「設置済み」とする。
【００３１】
固有情報としての固有番号２０３は、例えばＭＡＣ（Ｍｅｄｉａ  Ａｃｃｅｓｓ  Ｃｏｎｔｒｏｌ）アドレスであり、当該装置を識別するための識別情報である。
ＩＰアドレス２０４は、当該装置のネットワークアドレスを表す情報である。
【００３２】
上述した構成の作用について説明する。
【００３３】
画像形成装置をネットワークに接続する場合に画像形成装置が行う設定処理を図７の第１の実施例における設定処理の流れを示すフローチャートの図中Ｓで表すステップに従って図１〜図５および図６を参照しながら説明する。
【００３４】
Ａ．画像形成装置を設置する場合の初期設定
まず、画像形成装置１１０の初期設定について説明する。
【００３５】
画像形成装置１１０は、ネットワーク１５０に接続する場合の識別情報としてそれぞれ異なるＭＡＣアドレス（例えば、０Ａ：０Ｂ：０Ｃ：０Ｄ：０Ｅ：０Ｆ等）、およびＩＰアドレス（１９２．１６８．０．０）が設定されている。なお、ＭＡＣアドレスの０Ａ〜０Ｆは１６進数である。
【００３６】
外部メモリ１３０には、設定情報２３０の装置名２０１、設置済みフラグ２０２、固有番号２０３、およびＩＰアドレス２０４のすべての情報が記憶されていない状態である。ただし、設置済みフラグ２０２には、すべて「なし」が記憶される。
なお、装置の識別情報を固有番号としてＭＡＣアドレスを用いる例で以下説明する。また、ネットワーク１５０に接続されたホストＰＣ１２１には、ＩＰアドレス（１９２．１６８．１．１）が設定されているものとする。
【００３７】
Ｂ．画像形成装置を設置する場合の設定処理
次に、図１に示す画像形成装置１１０をネットワーク１５０に接続して設置する場合の設定処理を説明する。例えば、図２に示すネットワーク接続構成１００を構築し、外部メモリ１３０ａを装着した画像形成装置１１０ａを初めて起動する場合の設定処理の流れを説明する。なお、画像形成装置１１０ａ、１１０ｂ、１１０ｃは電源がＯＦＦ（切断）されている状態である。また、外部メモリ１３０ａの設定情報２００は、何も記憶されていない状態である。
【００３８】
Ｓ００１：画像形成装置１１０ａの電源がＯＮ（投入）されると、画像形成装置１１０ａの制御部１１３は設定処理を開始する。
【００３９】
Ｓ００２：制御部１１３は、外部メモリ接続部１１７に外部メモリ１３０ａが接続されているか否かを判定する。制御部１１３は、外部メモリ接続部１１７に外部メモリ１３０ａが接続されていると判定し、処理をＳ００３へ移行する。
【００４０】
Ｓ００３：外部メモリ接続部１１７に外部メモリ１３０ａが接続されていると判定した制御部１１３は、外部メモリ１３０ａに設定情報２００が記憶されているか否かを判定する。画像形成装置１１０ａの設置は１台目であり、外部メモリ１３０ａに設定情報２００が記憶されていないため、制御部１１３は、外部メモリ１３０ａに設定情報２００が記憶されていないと判定し、処理をＳ００７へ移行する。
【００４１】
Ｓ００７：外部メモリ１３０ａに設定情報２００が記憶されていないと判定した制御部１１３は、画像形成装置１１０ａに初期設定されているＩＰアドレス（１９２．１６８．０．０）でネットワーク接続部１１６によりネットワーク１５０に接続する。
【００４２】
Ｓ０１０：制御部１１３は、画像形成装置１１０ａに初期設定されているＩＰアドレス（１９２．１６８．０．０）でネットワーク１５０に接続できるか否かを確認する接続状態確認を行う。
【００４３】
この接続状態確認では、制御部１１３は、ホストＰＣ１２１のＩＰアドレス（宛先）に対して疎通（通信）確認を行う指令であるコマンド（例えば、ＩＣＭＰ（Ｉｎｔｅｒｎｅｔ  Ｃｏｎｔｒｏｌ  Ｍｅｓｓａｇｅ  Ｐｒｏｔｏｃｏｌ）のｅｃｈｏコマンド）を送信し、接続（通信）可能かを判定する。
【００４４】
Ｓ０１２：接続状態確認を行った制御部１１３は、正常に接続できたか否かを判定する。
【００４５】
画像形成装置１１０ａを初めて起動する場合は、外部メモリ１３０ａおよび記憶部１１４にホストＰＣ１２１のＩＰアドレスが記憶されていないため、送信したコマンドに対する応答がなく、制御部１１３は接続失敗と判定し、処理をＳ０１５へ移行する。例えば、制御部１１３は、ホストＰＣ１２１のＩＰアドレス（０．０．０．０）のコマンドを送信し、無応答となり、接続失敗と判定する。制御部１１３は、処理をＳ０１５へ移行する。
【００４６】
Ｓ０１５：接続失敗と判定した制御部１１３は、表示部１１１に「接続に問題あり」等の文言を表示し、ネットワーク１５０を介してホストＰＣ１２１に接続できなかったことを報知して本処理を終了する。
続いて、図２に示す画像形成装置１１０ａの設定情報の変更を行う場合の設定変更処理を説明する。
【００４７】
Ｓ００５：画像形成装置１１０ａのユーザは、操作部１１２を操作して設定変更を行うものとする。画像形成装置１１０ａの制御部１１３は、操作部１１２で設定変更のユーザの入力操作を受付ける。
制御部１１３は、この設定変更の入力操作で、ホストＰＣ１２１のＩＰアドレス（１９２．１６８．１．１）と、ユーザが指定する画像形成装置１１０ａのＩＰアドレス（１９２．１６８．１．１０１）とを受け付けるものとする。
【００４８】
Ｓ００６：制御部１１３は、操作部１１２で入力されたホストＰＣ１２１のＩＰアドレス（１９２．１６８．１．１）および画像形成装置１１０ａのＩＰアドレス（１９２．１６８．１．１０１）を記憶部１１４に記憶し、ホストＰＣ１２１のＩＰアドレスと自装置のＩＰアドレスを変更し、設定する。
【００４９】
Ｓ０１０：制御部１１３は、画像形成装置１１０ａに設定されているＩＰアドレス（１９２．１６８．１．１０１）でネットワーク１５０に接続できるか否かを確認する接続状態確認を行う。
【００５０】
Ｓ０１２：接続状態確認を行った制御部１１３は、正常に接続できたか否かを判定する。
この接続状態確認では、制御部１１３は、記憶部１１４に記憶されたホストＰＣ１２１のＩＰアドレス、即ちＳ００６において設定されたＩＰアドレス（１９２．１６８．１．１）に対してコマンドを送信し、接続可能かを判定するため、正常な接続を確認することができる。制御部１１３は、処理をＳ０１３へ移行する。
【００５１】
Ｓ０１３：正常な接続を確認した制御部１１３は、外部メモリ接続部１１７を介して外部メモリ１３０ａに設定情報を記憶させる。ここで、外部メモリ１３０ａの設定情報２００には、ホストＰＣのＩＰアドレス２０４と、プリンタ１として画像形成装置１１０ａのＩＰアドレス２０４およびＭＡＣアドレス２０３とが記憶される。
【００５２】
Ｓ０１４：外部メモリ１３０ａに設定情報を記憶させた制御部１１３は、表示部１１１に「正常接続完了」等の文言を表示し、ネットワーク１５０を介してホストＰＣ１２１に接続できたことを報知して画像形成装置１１０ａの設定変更処理を終了する。
なお、この状態では、画像形成装置１１０ａは「設置済み」とはならず、接続状態確認が完了している「接続済み」の状態である。したがって、外部メモリ１３０ａの設置済みフラグ２０２は「なし」が記憶された状態である。
【００５３】
次に、画像形成装置１１０ｂの設定処理を説明する。
図２に示すネットワーク接続構成１００において、画像形成装置１１０ａから外部メモリ１３０ａを外し、その外部メモリ１３０ａを画像形成装置１１０ｂに装着した場合の設定処理の流れを説明する。
【００５４】
Ｓ００１：画像形成装置１１０ｂの電源がＯＮ（投入）されると、画像形成装置１１０ｂの制御部１１３は設定処理を開始する。
【００５５】
Ｓ００２：制御部１１３は、外部メモリ接続部１１７に外部メモリ１３０ａが接続されているか否かを判定する。制御部１１３は、外部メモリ接続部１１７に外部メモリ１３０ａが接続されていると判定し、処理をＳ００３へ移行する。
【００５６】
Ｓ００３：外部メモリ接続部１１７に外部メモリ１３０ａが接続されていると判定した制御部１１３は、外部メモリ１３０ａに設定情報２００が記憶されているか否かを判定する。画像形成装置１１０ｂに装着された外部メモリ１３０ａに画像形成装置１１０ａで設定された設定情報２００が記憶されているため、制御部１１３は、外部メモリ１３０ａに設定情報２００が記憶されていると判定し、処理をＳ００４へ移行する。
【００５７】
Ｓ００４：外部メモリ１３０ａに設定情報２００が記憶されていると判定した制御部１１３は、外部メモリ１３０ａの設定情報２００を読取り、設定情報２００の設置済みフラグ２０２に「あり」が記憶されているか否かを判定する。
設置済みフラグ２０２に「あり」が記憶されていない、即ち設置済みフラグ２０２のすべてに「なし」が記憶されているため、制御部１１３は、処理をＳ００９へ移行する。
【００５８】
Ｓ００９：設置済みフラグ２０２に「あり」が記憶されていないと判定した制御部１１３は、外部メモリ１３０ａの設定情報２００に記憶されている、「接続済み」の装置のＩＰアドレス２０４を抽出し、抽出したＩＰアドレス２０４（図６に示す例では、例えばプリンタ１のＩＰアドレス（１９２．１６８．１．１０１））と重複しない異なるＩＰアドレス（１９２．１６８．１．１０２）を画像形成装置１１０ｂのネットワーク接続部１１６に設定する。
【００５９】
このとき、制御部１１３は、例えば設定情報２００に一致するＭＡＣアドレス２０３が存在しない場合、直前に設定したＩＰアドレスの最下位の値に「１」を加算したＩＰアドレスを設定するものとする。
ＩＰアドレスを画像形成装置１１０ｂに設定した制御部１１３は処理をＳ０１１へ移行する。
【００６０】
Ｓ０１１：制御部１１３は、設定したＩＰアドレスでネットワーク１５０に接続できるか否かを確認する接続状態確認を行う。
【００６１】
Ｓ０１２：接続状態確認を行った制御部１１３は、正常に接続できたか否かを判定する。
この接続状態確認では、制御部１１３は、外部メモリ１３０ａの設定情報２００のホストＰＣのＩＰアドレス２０４（１９２．１６８．１．１）を記憶部１１４に記憶し、ホストＰＣ１２１に対してコマンドを送信し、接続可能かを判定するため、制御部１１３は、正常な接続を確認することができる。制御部１１３は、処理をＳ０１３へ移行する。
【００６２】
Ｓ０１３：正常な接続を確認した制御部１１３は、外部メモリ接続部１１７を介して外部メモリ１３０ａに設定情報を記憶させる。ここで、外部メモリ１３０ａの設定情報２００には、ホストＰＣのＩＰアドレス２０４と、プリンタ１として画像形成装置１１０ａのＩＰアドレス２０４およびＭＡＣアドレス２０３とに加え、プリンタ２として画像形成装置１１０ｂのＩＰアドレス２０４およびＭＡＣアドレス２０３が記憶される。なお、プリンタ１（画像形成装置１１０ａ）およびプリンタ２（画像形成装置１１０ｂ）の設置済みフラグ２０２は「なし」が記憶されたままである。
【００６３】
Ｓ０１４：外部メモリ１３０ａに設定情報を記憶させた制御部１１３は、表示部１１１に「正常接続完了」等の文言を表示し、ネットワーク１５０を介してホストＰＣ１２１に接続できたことを報知して画像形成装置１１０ｂの設定変更処理を終了する。
【００６４】
なお、この状態では、画像形成装置１１０ｂは「設置済み」とはならず、接続状態確認が完了している「接続済み」の状態である。したがって、外部メモリ１３０ａの設置済みフラグ２０２は「なし」が記憶された状態である。
【００６５】
また、図２に示すネットワーク接続構成１００において、画像形成装置１１０ｂから外部メモリ１３０ａを外し、その外部メモリ１３０ａを画像形成装置１１０ｃに装着した場合の設定処理も、上述した画像形成装置１１０ｂの設定処理と同様に行われる。
【００６６】
図２に示すネットワーク接続構成１００において、画像形成装置１１０ａ、１１０ｂ、１１０ｃの設定処理が完了すると、画像形成装置１１０ａ、１１０ｂ、１１０ｃはネットワーク１５０を介してホストＰＣ１２１と通信可能になり、ホストＰＣ１２１からの設定変更や印刷動作が可能になる。
また、画像形成装置１１０ａ、１１０ｂ、１１０ｃの他に、画像形成装置１１０と同一の画像形成装置をネットワーク１５０に接続する場合、上述した設定処理を行う。
【００６７】
Ｃ．設置済みフラグの設定処理
ここで、図２に示すネットワーク接続構成１００において、画像形成装置１１０ａ、１１０ｂ、１１０ｃの設定処理が完了した後、それぞれの外部メモリ１３０の設定情報２００に設置済みフラグを設定する処理を図８の第１の実施例における設定済コマンド受信処理の流れを示すフローチャートの図中Ｓで表すステップに従って図１、図３および図６を参照しながら説明する。
【００６８】
まず、図３に示すネットワーク接続構成１０１のように、画像形成装置１１０ａ、１１０ｂ、１１０ｃのそれぞれに外部メモリ１３１ａ、１３１ｂ、１３１ｃを接続する。なお、外部メモリ１３１ａ、１３１ｂ、１３１ｃは、設定情報２３０の装置名２０１、設置済みフラグ２０２、固有番号２０３、およびＩＰアドレス２０４のすべての情報が記憶されていない状態である。ただし、設置済みフラグ２０２には、すべて「なし」が記憶されている。
次に、ユーザの操作を受け付けたホストＰＣ１２１は、画像形成装置１１０ａに設置済みコマンドを送信する。
【００６９】
Ｓ０２０：画像形成装置１１０ａの制御部１１３は、ネットワーク１５０およびネットワーク接続部１１６を介してホストＰＣ１２１から設置済みコマンドを受信する。
【００７０】
Ｓ０２１：制御部１１３は、設置済みコマンドを受信すると、記憶部１１４に記憶されているホストＰＣ１２１のＩＰアドレス（１９２．１６８．１．１）を外部メモリ１３１ａの設定情報２００のＩＰアドレス２０４に、自装置のＭＡＣアドレスおよびＩＰアドレス（１９２．１６８．１．１０１）を外部メモリ１３１ａの設定情報２００の固有番号２０３およびＩＰアドレス２０４に、自装置の設置済みフラグ「あり」を外部メモリ１３１ａの設定情報２００の設置済みフラグ２０２に記憶し、本処理を終了する。
【００７１】
同様に、ホストＰＣ１２１から画像形成装置１１０ｂ、１１０ｃに設置済みコマンドを送信し、記憶部１１４に記憶されているホストＰＣ１２１のＩＰアドレス（１９２．１６８．１．１）と、自装置のＭＡＣアドレスおよびＩＰアドレスと、自装置の設置済みフラグ「あり」とを外部メモリ１３１ｂ、１３１ｃに記憶するものとする。
【００７２】
このとき、外部メモリ１３１ａの設定情報は、例えば図９（ａ）に示す設定情報２００ａとなり、ホストＰＣ１２１のＩＰアドレス（ＩＰアドレス２０４：１９２．１６８．１．１）と、プリンタ１として自装置のＭＡＣアドレス（固有番号２０３：０Ａ０Ｂ０Ｃ０Ｄ０Ｅ０Ｆ）およびＩＰアドレス（ＩＰアドレス２０４：１９２．１６８．１．１０１）と、自装置の設置済みフラグ２０２に「あり」が記憶される。
【００７３】
また、外部メモリ１３１ｂの設定情報は、例えば図９（ｂ）に示す設定情報２００ｂとなり、ホストＰＣ１２１のＩＰアドレス（ＩＰアドレス２０４：１９２．１６８．１．１）と、プリンタ２として自装置のＭＡＣアドレス（固有番号２０３：００１１２２３３ＡＡＢＢ）およびＩＰアドレス（ＩＰアドレス２０４：１９２．１６８．１．１０２）と、自装置の設置済みフラグ２０２に「あり」が記憶される。
【００７４】
さらに、外部メモリ１３１ｃの設定情報は、例えば図９（ｃ）に示す設定情報２００ｃとなり、ホストＰＣ１２１のＩＰアドレス（ＩＰアドレス２０４：１９２．１６８．１．１）と、プリンタ３として自装置のＭＡＣアドレス（固有番号２０３：Ｆ１Ｅ２Ｄ３Ｃ４Ｂ５Ａ６）およびＩＰアドレス（ＩＰアドレス２０４：１９２．１６８．１．１０３）と、自装置の設置済みフラグ２０２に「あり」が記憶される。
【００７５】
このように、画像形成装置１１０ａ、１１０ｂ、１１０ｃの制御部１１３は、ネットワーク接続部１１６で受信したホストＰＣ１２１からの指令に従って設置済みフラグ２０２を外部メモリ１３１ａ、１３１ｂ、１３１ｃに記憶させる。
【００７６】
外部メモリ１３１ａ、１３１ｂ、１３１ｃには、画像形成装置１１０ａ、１１０ｂ、１１０ｃにより、設置済みフラグ２０２が記憶されるとき、画像形成装置１１０ａ、１１０ｂ、１１０ｃの設定情報２００が記憶される。
【００７７】
画像形成装置１１０ａ、１１０ｂ、１１０ｃの設置済みフラグの設定が終了すると、画像形成装置１１０ａ、１１０ｂ、１１０ｃを設置するときに行う設定処理が完了し、設置した画像形成装置１１０ａ、１１０ｂ、１１０ｃをネットワーク１５０に接続した状態で使用することができるようになる。
【００７８】
Ｄ．画像形成装置を交換する場合の設定処理
次に、ネットワーク１５０に接続された画像形成装置１１０を交換する場合の設定処理を説明する。図４に示すネットワーク接続構成１０２において、ネットワーク１５０に接続された画像形成装置１１０ｄから外部メモリ１３１ｄを外し、図５に示すネットワーク接続構成１０３のように、その外部メモリ１３１ｄをネットワーク１５０に初めて接続する画像形成装置１１０ｅに装着した場合の設定処理の流れを図７に基づいて図１、図４、図５および図６を参照しながら説明する。
【００７９】
なお、図４に示す画像形成装置１１０ｄは、上述したネットワーク１５０に接続して設置する場合の設定処理および設置済みフラグを設定する処理が行われ、外部メモリ１３１ｄにはホストＰＣ１２１のＩＰアドレス（１９２．１６８．１．１）と、画像形成装置１１０ｄのＭＡＣアドレスおよびＩＰアドレス（１９２．１６８．１．１０４）と、画像形成装置１１０ｄの設置済みフラグ２０２「あり」とが記憶されているものとする。
【００８０】
また、図４および図５に示す画像形成装置１１０ｄ、１１０ｅの電源がＯＦＦの状態において、画像形成装置１１０ｄからネットワーク１５０および外部メモリ１３１ｄが外され、画像形成装置１１０ｅに外されたネットワーク１５０および外部メモリ１３１ｄが接続されるものとする。
【００８１】
Ｓ００１：図５に示す画像形成装置１１０ｅの電源がＯＮ（投入）されると、画像形成装置１１０ｅの制御部１１３は設定処理を開始する。
【００８２】
Ｓ００２：制御部１１３は、外部メモリ接続部１１７に外部メモリ１３０が接続されているか否かを判定する。制御部１１３は、外部メモリ接続部１１７に外部メモリ１３１ｄが接続されていると判定し、処理をＳ００３へ移行する。
【００８３】
Ｓ００３：外部メモリ接続部１１７に外部メモリ１３１ｄが接続されていると判定した制御部１１３は、外部メモリ１３１ｄに設定情報２００が記憶されているか否かを判定する。図５に示す画像形成装置１１０ｅに装着された外部メモリ１３１ｄに画像形成装置１１０ｄで設定された設定情報２００が記憶されているため、制御部１１３は、外部メモリ１３１ｄに設定情報２００が記憶されていると判定し、処理をＳ００４へ移行する。
【００８４】
Ｓ００４：外部メモリ１３１ｄに設定情報２００が記憶されていると判定した制御部１１３は、外部メモリ１３１ｄに設定情報２００を読取り、設定情報２００の設置済みフラグ２０２に「あり」が記憶されているか否かを判定する。
【００８５】
設置済みフラグ２０２に「あり」が記憶されているため、制御部１１３は、処理をＳ００８へ移行する。
【００８６】
Ｓ００８：設定情報２００の設置済みフラグ２０２に「あり」が記憶されていると判定した制御部１１３は、設定情報２００のＩＰアドレス２０４を読取り、読み取ったＩＰアドレスを画像形成装置１１０ｅのネットワーク接続部１１６に設定する。
【００８７】
Ｓ０１１：制御部１１３は、設定したＩＰアドレスでネットワーク１５０に接続できるか否かを確認する接続状態確認を行う。
【００８８】
Ｓ０１２：接続状態確認を行った制御部１１３は、正常に接続できたか否かを判定する。
【００８９】
この接続状態確認では、制御部１１３は、外部メモリ１３１ｄの設定情報２００のホストＰＣのＩＰアドレス２０４（１９２．１６８．１．１）を記憶部１１４に記憶し、ホストＰＣ１２１に対してコマンドを送信して接続可能かを判定するため、制御部１１３は、正常な接続を確認することができる。制御部１１３は、処理をＳ０１３へ移行する。
【００９０】
Ｓ０１３：正常な接続を確認した制御部１１３は、外部メモリ接続部１１７を介して外部メモリ１３１ｄに設定情報を記憶させる。ここで、外部メモリ１３１ｄの設定情報２００には、ホストＰＣのＩＰアドレス２０４と、プリンタ４として画像形成装置１１０ｅのＩＰアドレス２０４およびＭＡＣアドレス２０３とが記憶される。なお、設置済みフラグ２０２は「あり」が記憶されたままである。
【００９１】
Ｓ０１４：外部メモリ１３１ｄに設定情報を記憶させた制御部１１３は、表示部１１１に「正常接続完了」等の文言を表示し、ネットワーク１５０を介してホストＰＣ１２１に接続できたことを報知して画像形成装置１１０ｅの設定変更処理を終了する。
【００９２】
このように、制御部１１３は、ネットワーク１５０に接続され、初めて通信を行う場合のネットワーク接続部１１６の通信設定を行うとき、外部メモリ１３１ｄから設定情報２００の設置済みフラグ２０２を取得し、設置済みフラグ２０２が完了を表す場合、外部メモリ１３１ｄに記憶されている設定情報２００を使用してネットワーク接続部１１６の設定を行う。
【００９３】
制御部１１３は、このネットワーク接続部１１６の設定において、設置済みフラグ２０２が完了を表す場合、外部メモリ１３１ｄに記憶されている第２の情報処理装置としての交換前の画像形成装置１１０ｄの設定情報２００を自情報処理装置である第１の情報処理装置としての交換後の画像形成装置１１０ｄの設定情報２００としてネットワーク接続部１１６に設定して通信を行う。
【００９４】
Ｅ．通常使用時の処理
画像形成装置１１０がネットワーク１５０に接続されて通常に使用される場合、例えば図３に示すネットワーク接続構成１０１で使用される場合、画像形成装置１１０が他の画像形成装置１１０に交換されるとき、上述した画像形成装置１１０を交換する場合の設定処理が行われる。また、画像形成装置１１０の設定変更を行う場合、上述した設定変更処理が行われる。
【００９５】
このように、本実施例では、ネットワーク１５０に接続された一の画像形成装置１１０が他の画像形成装置１１０に交換された場合、交換された他の画像形成装置１１０は、外部メモリ１３０（１３１）に設置済みフラグが記憶されていると判定すると、外部メモリ１３０（１３１）に記憶された設定情報２００を使用してネットワーク１５０に接続するようにしたことにより、交換の後の画像形成装置１１０に、交換前の画像形成装置１１０の設定情報を適用してネットワーク接続ができるようになり、装置交換時の作業効率を向上させることができる。
【００９６】
また、画像形成装置１１０をネットワーク１５０に接続して設置する際に使用する外部メモリ１３０（１３１）を、画像形成装置１１０の交換時に使用することができるため、画像形成装置１１０の部品点数を増やすことなく、装置の設置や交換の作業を行うことができる。
【００９７】
さらに、設定情報２００を外部メモリ１３０（１３１）に記憶させるようにしているため、画像形成装置１１０の交換時に、装置を起動して設定情報２００のバックアップを行う必要がなく、画像形成装置１１０の異常により交換前の画像形成装置１１０を起動することができなくても、交換後の画像形成装置１１０に交換前の画像形成装置１１０の設定情報を適用してネットワーク接続ができる。
【００９８】
ここで、本実施例では、図２に示すネットワーク接続構成１００において、画像形成装置１１０ａの操作部１１２によって設定を行うようにしたが、画像形成装置１１０にＰＣや設定装置と接続するためのインターフェースである外部接続部（ネットワーク１５０とは異なる接続部）、例えば汎用インターフェースであるＵＳＢインターフェース等を設け、そのインターフェースを介してＰＣや設定装置から設定を行うようにしても良い。
【００９９】
また、外部メモリ１３０に記憶する設定情報２００として、装置名、設置済みフラグ、固有番号、ＩＰアドレスを例として挙げているが、その設定情報２００以外の情報を合わせて記憶し、ＩＰアドレスの設定タイミングに合わせて設定情報２００以外の情報を自画像形成装置に設定するようにしても良い。その他の情報とは、例えば印刷に係る設定情報、装置の環境設定情報、オプションモジュールの設定情報、ユーザ情報、その他ネットワーク１５０に接続される外部装置の設定情報等のうち少なくとも１つの設定情報である。
【０１００】
以上説明したように、第１の実施例では、交換の後の画像形成装置に、交換前の画像形成装置の設定情報を適用してネットワーク接続ができるようになり、装置交換時の作業効率を向上させることができるという効果が得られる。
また、画像形成装置の部品点数を増やすことなく、装置の設置や交換の作業を行うことができるという効果が得られる。
【０１０１】
さらに、画像形成装置の交換時に、装置を起動して設定情報のバックアップを行う必要がなくなり、交換前の画像形成装置を起動することができなくても、交換後の画像形成装置に交換前の画像形成装置の設定情報を適用してネットワーク接続ができる。
【実施例２】
【０１０２】
第２の実施例の構成は、第１の実施例の構成の外部メモリに接続情報を追加したものとしている。その第２の実施例の構成を図１１の第２の実施例における外部メモリに記憶される情報の説明図に基づいて図１を参照しながら説明する。
【０１０３】
なお、上述した第１の実施例と同様の部分は、同一の符号を付してその説明を省略する。
【０１０４】
図１１において、接続情報２１０は、接続予定台数２１１と、接続済み台数２１２とを有している。なお、接続情報２１０は、設定情報２００とともに、図１に示す外部メモリ１３０（１３１）に記憶される情報である。
接続予定台数２１１は、ネットワーク１５０に接続させる画像形成装置１１０の予定台数の情報である。
【０１０５】
接続済み台数２１２は、ネットワーク１５０に接続させ、設定が完了している画像形成装置１１０の台数の情報である。即ち、接続済み台数２１２は、設定情報２００に記憶された画像形成装置１１０の数である。
図１０は第２の実施例におけるネットワーク接続の構成を示すブロック図である。
【０１０６】
図１０において、ネットワーク接続構成１０４は、画像形成装置１１０ａ、１１０ｂ、１１０ｃと、ホストＰＣ１２１と、外部メモリ１３１ａ、１３１ｂ、１３０ａと、ネットワーク１５０とを有している。
【０１０７】
画像形成装置１１０ａ、１１０ｂ、１１０ｃと、ホストＰＣ１２１とは、ネットワーク１５０を介して通信可能に接続されている。
画像形成装置１１０ａ、１１０ｂ、１１０ｃは、図１に示す画像形成装置１１０と同一の構成を有するものであり、図１に示すネットワーク接続部１１６を介してネットワーク１５０と接続されている。
【０１０８】
また、画像形成装置１１０ａには、図１に示す外部メモリ接続部１１７を介して外部メモリ１３１ａが接続されている。また、画像形成装置１１０ｂには外部メモリ１３１ｂ、画像形成装置１１０ｃには外部メモリ１３０ａが接続されている。
【０１０９】
上述した構成の作用について説明する。
【０１１０】
画像形成装置をネットワークに接続する場合に画像形成装置が行う設定処理を図１２の第２の実施例における設定処理の流れを示すフローチャートの図中Ｓで表すステップに従って図１、図２、図１０、図１１および図１２を参照しながら説明する。本実施例では、図１０に示すネットワーク接続構成１０４での設定処理を説明するものとする。
【０１１１】
なお、図１２におけるＳ１０１〜Ｓ１１５の処理は図７に示すＳ００１〜Ｓ０１５の処理と同様なのでその説明を省略する。また、本実施例では、図７に示すＳ０１３とＳ０１４の間に、Ｓ１２０〜Ｓ１２４の処理を追加したものとしている。
【０１１２】
Ａ．画像形成装置を設置する場合の初期設定
まず、画像形成装置１１０の初期設定について説明する。
【０１１３】
画像形成装置１１０の初期設定は、第１の実施例と同様である。
【０１１４】
ただし、本実施例では、ネットワーク１５０に接続する画像形成装置１１０の台数を３台として説明する。外部メモリ１３０ａ、１３１ａ、１３１ｂには、何も記憶されておらず、接続情報２１０の接続済み台数２１２の値は「０」となっている。設置済みフラグ２０２には、すべて「なし」が記憶される。
【０１１５】
Ｂ．画像形成装置を設置する場合の設定処理
次に、図１に示す画像形成装置１１０をネットワーク１５０に接続して設置する場合の設定処理を説明する。例えば、図２に示すネットワーク接続構成１００を構築し、外部メモリ１３０ａを装着した画像形成装置１１０ａを初めて起動する場合の設定処理の流れは第１の実施例の設定処理と同様である。外部メモリ１３０ａに設定情報２００がなく、記憶部１１４も初期状態であるため、画像形成装置１１０ａは初期状態の設定で接続され、接続状態確認で正常に接続できず、「接続に問題あり」を表示して設定処理を終了する。
【０１１６】
続いて、図２に示す画像形成装置１１０ａの設定情報の変更を行った場合の設定変更処理を説明する。
【０１１７】
Ｓ１０５：本実施例では、制御部１１３は、設定変更の入力操作で、ホストＰＣ１２１のＩＰアドレス（１９２．１６８．１．１）と、ユーザが指定する画像形成装置１１０ａのＩＰアドレス（１９２．１６８．１．１０１）とに加え、接続予定台数（本実施例では、「３」）の入力を受け付けるものとする。
【０１１８】
Ｓ１０６：制御部１１３は、操作部１１２で入力されたホストＰＣ１２１のＩＰアドレス（１９２．１６８．１．１）および画像形成装置１１０ａのＩＰアドレス（１９２．１６８．１．１０１）を記憶部１１４に記憶し、ホストＰＣ１２１のＩＰアドレスと自装置のＩＰアドレスを変更し、設定する。
【０１１９】
また、制御部１１３は、外部メモリ１３０ａの接続情報２１０の接続予定台数２１１に入力された接続予定台数（本実施例では、「３」）を記憶する。
【０１２０】
Ｓ１１０：制御部１１３は、画像形成装置１１０ａに設定されているＩＰアドレス（１９２．１６８．１．１０１）でネットワーク１５０に接続できるか否かを確認する接続状態確認を行う。
【０１２１】
Ｓ１１２：接続状態確認を行った制御部１１３は、正常に接続できたか否かを判定する。
この接続状態確認では、制御部１１３は、記憶部１１４に記憶されたホストＰＣ１２１のＩＰアドレス、即ちＳ１０６において設定されたＩＰアドレス（１９２．１６８．１．１）に対してコマンドを送信し、接続可能かを判定するため、正常な接続を確認することができる。制御部１１３は、処理をＳ１１３へ移行する。
【０１２２】
Ｓ１１３：正常な接続を確認した制御部１１３は、外部メモリ接続部１１７を介して外部メモリ１３０ａに設定情報を記憶させる。ここで、外部メモリ１３０ａの設定情報２００には、ホストＰＣのＩＰアドレス２０４と、プリンタ１として画像形成装置１１０ａのＩＰアドレス２０４およびＭＡＣアドレス２０３とが記憶される。
【０１２３】
Ｓ１２０：外部メモリ１３０ａに設定情報を記憶させた制御部１１３は、外部メモリ１３０ａの設定情報２００の設置済みフラグ２０２に「あり」が記憶されているか否かを判定する。
設置済みフラグ２０２に「あり」が記憶されていないため、制御部１１３は、処理をＳ１２１へ移行する。
【０１２４】
Ｓ１２１：制御部１１３は、外部メモリ１３０の接続情報２１０の接続済み台数２１２の値に「１」を加算する。このとき、接続済み台数２１２の値は「０」であったため、「１」が記憶される。
【０１２５】
Ｓ１２２：制御部１１３は、外部メモリ１３０の接続情報２１０の接続済み台数２１２の値が、接続予定台数２１１の値と一致するか否かを判定する。接続済み台数２１２の値が「１」であり、接続予定台数２１１の値が「３」であるため、制御部１１３は、一致しないと判定し、処理をＳ１１４へ移行する。
【０１２６】
Ｓ１１４：制御部１１３は、表示部１１１に「正常接続完了」等の文言を表示し、ネットワーク１５０を介してホストＰＣ１２１に接続できたことを報知して画像形成装置１１０ａの設定変更処理を終了する。
なお、この状態では、画像形成装置１１０ａは「設置済み」とはならず、接続状態確認が完了している「接続済み」の状態である。したがって、外部メモリ１３０ａの設置済みフラグ２０２は「なし」が記憶された状態である。
【０１２７】
次に、画像形成装置１１０ｂの設定処理を説明する。
【０１２８】
図２に示すネットワーク接続構成１００において、第１の実施例と同様に、画像形成装置１１０ａから外部メモリ１３０ａを外し、その外部メモリ１３０ａを画像形成装置１１０ｂに装着した場合の設定処理の流れを説明する。
【０１２９】
Ｓ１０１：画像形成装置１１０ｂの電源がＯＮ（投入）されると、画像形成装置１１０ｂの制御部１１３は設定処理を開始する。
制御部１１３は、第１の実施例と同様に、Ｓ１０２、Ｓ１０３、Ｓ１０４、Ｓ１０９、Ｓ１１１の処理を行う。
【０１３０】
Ｓ１１２：Ｓ１１１において、接続状態確認を行った画像形成装置１１０ｂの制御部１１３は、正常に接続できたか否かを判定する。
この接続状態確認では、制御部１１３は、記憶部１１４に記憶されたホストＰＣ１２１のＩＰアドレス、即ちＩＰアドレス（１９２．１６８．１．１）に対してコマンドを送信し、接続可能かを判定するため、正常な接続を確認することができる。制御部１１３は、処理をＳ１１３へ移行する。
【０１３１】
Ｓ１１３：正常な接続を確認した制御部１１３は、外部メモリ接続部１１７を介して外部メモリ１３０ａに設定情報を記憶させる。ここで、外部メモリ１３０ａの設定情報２００には、ホストＰＣのＩＰアドレス２０４と、プリンタ１として画像形成装置１１０ａのＩＰアドレス２０４およびＭＡＣアドレス２０３とが記憶される。
【０１３２】
Ｓ１２０：外部メモリ１３０ａに設定情報を記憶させた制御部１１３は、外部メモリ１３０ａの設定情報２００の設置済みフラグ２０２に「あり」が記憶されているか否かを判定する。
設置済みフラグ２０２に「あり」が記憶されていないため、制御部１１３は、処理をＳ１２１へ移行する。
【０１３３】
Ｓ１２１：制御部１１３は、外部メモリ１３０ａの接続情報２１０の接続済み台数２１２の値に「１」を加算する。このとき、接続済み台数２１２の値は「１」であったため、「２」が記憶される。
【０１３４】
Ｓ１２２：制御部１１３は、外部メモリ１３０ａの接続情報２１０の接続済み台数２１２の値が、接続予定台数２１１の値と一致するか否かを判定する。接続済み台数２１２の値が「２」であり、接続予定台数２１１の値が「３」であるため、制御部１１３は、一致しないと判定し、処理をＳ１１４へ移行する。
【０１３５】
Ｓ１１４：制御部１１３は、表示部１１１に「正常接続完了」等の文言を表示し、ネットワーク１５０を介してホストＰＣ１２１に接続できたことを報知して画像形成装置１１０ｂの設定変更処理を終了する。
なお、この状態では、画像形成装置１１０ｂは「設置済み」とはならず、接続状態確認が完了している「接続済み」の状態である。したがって、外部メモリ１３０ａの設置済みフラグ２０２は「なし」が記憶された状態である。
【０１３６】
次に、画像形成装置１１０ｃの設定処理を説明する。
画像形成装置１１０ｃの設定を行う場合、図１０に示すネットワーク接続構成１０４を構築する。
【０１３７】
図１０において、画像形成装置１１０ｃに上述した外部メモリ１３０ａを接続し、設定処理が終了している画像形成装置１１０ａに外部メモリ１３１ａ、画像形成装置１１０ｂに外部メモリ１３１ｂを接続する。なお、外部メモリ１３１ａ、１３１ｂには、何も記憶されていない。
【０１３８】
Ｓ１０１：画像形成装置１１０ｃの電源がＯＮ（投入）されると、画像形成装置１１０ｃの制御部１１３は設定処理を開始する。
制御部１１３は、第１の実施例と同様に、Ｓ１０２、Ｓ１０３、Ｓ１０４、Ｓ１０９、Ｓ１１１の処理を行う。
【０１３９】
Ｓ１１２：Ｓ１１１において、接続状態確認を行った画像形成装置１１０ｃの制御部１１３は、正常に接続できたか否かを判定する。
【０１４０】
この接続状態確認では、制御部１１３は、記憶部１１４に記憶されたホストＰＣ１２１のＩＰアドレス、即ちＩＰアドレス（１９２．１６８．１．１）に対してコマンドを送信し、接続可能かを判定するため、正常な接続を確認することができる。制御部１１３は、処理をＳ１１３へ移行する。
【０１４１】
Ｓ１１３：正常な接続を確認した制御部１１３は、外部メモリ接続部１１７を介して外部メモリ１３０ａに設定情報を記憶させる。ここで、外部メモリ１３０ａの設定情報２００には、ホストＰＣのＩＰアドレス２０４と、プリンタ３として画像形成装置１１０ｃのＩＰアドレス２０４およびＭＡＣアドレス２０３とが記憶される。
【０１４２】
Ｓ１２０：外部メモリ１３０ａに設定情報を記憶させた制御部１１３は、外部メモリ１３０ａの設定情報２００を読取り、設定情報２００の設置済みフラグ２０２に「あり」が記憶されているか否かを判定する。
設置済みフラグ２０２に「あり」が記憶されていないため、制御部１１３は、処理をＳ１２１へ移行する。
【０１４３】
Ｓ１２１：制御部１１３は、外部メモリ１３０ａの接続情報２１０の接続済み台数２１２の値に「１」を加算する。このとき、接続済み台数２１２の値は「２」であったため、「３」が記憶される。
【０１４４】
Ｓ１２２：制御部１１３は、外部メモリ１３０ａの接続情報２１０の接続済み台数２１２の値が、接続予定台数２１１の値と一致するか否かを判定する。接続済み台数２１２の値が「３」であり、接続予定台数２１１の値が「３」であるため、制御部１１３は、一致すると判定し、処理をＳ１２３へ移行する。
【０１４５】
Ｓ１２３：制御部１１３は、外部メモリ１３０ａに記憶されている自装置以外の全ての設定処理済みの画像形成装置１１０ａ、１１０ｂのＩＰアドレス（１９２．１６８．１．１０１）およびＩＰアドレス（１９２．１６８．１．１０２）に対して設置済みコマンドを送信する。
【０１４６】
Ｓ１２４：画像形成装置１１０ａ、１１０ｂのそれぞれの制御部１１３は、ネットワーク１５０に接続された他の画像形成装置１１０ｃから設置済みコマンドを受信すると、記憶部１１４に記憶されているホストＰＣ１２１のＩＰアドレスを外部メモリ１３１ａ、１３１ｂの設定情報２００のＩＰアドレス２０４に、自装置のＭＡＣアドレスおよびＩＰアドレスとを外部メモリ１３１ａ、１３１ｂの設定情報２００の固有番号２０３およびＩＰアドレス２０４に、自装置の設置済みフラグ「あり」を外部メモリ１３１ａ、１３１ｂの設定情報２００の設置済みフラグ２０２にそれぞれ記憶する。
【０１４７】
また、画像形成装置１１０ｃの制御部１１３は、記憶部１１４に記憶されているホストＰＣ１２１のＩＰアドレスを外部メモリ１３０ａの設定情報２００のＩＰアドレス２０４に、自装置のＭＡＣアドレスおよびＩＰアドレスとを外部メモリ１３０ａの設定情報２００の固有番号２０３およびＩＰアドレス２０４に、自装置の設置済みフラグ「あり」を外部メモリ１３０ａの設定情報２００の設置済みフラグ２０２にそれぞれ記憶する。
【０１４８】
Ｓ１１４：制御部１１３は、表示部１１１に「正常接続完了」等の文言を表示し、ネットワーク１５０を介してホストＰＣ１２１に接続できたことを報知して画像形成装置１１０ｂの設定変更処理を終了する。
【０１４９】
このように、外部メモリ１３０ａには、装着されたすべての画像形成装置１１０の設定情報が蓄積されて記憶される。なお、外部メモリ１３０ａには、接続予定台数を表す情報として接続予定台数２１１が記憶されている。
【０１５０】
また、画像形成装置１１０ｃの制御部１１３は、外部メモリ１３０ａに蓄積されて記憶された設定情報の数が、接続予定台数２１１と一致したとき、設置済みフラグを外部メモリ１３０ａに記憶させるとともに、設置済みコマンドを他の画像形成装置１１０ａ、１１０ｂへ送信し、画像形成装置１１０ａ、１１０ｂの制御部１１３により設置済みフラグを外部メモリ１３１ａ、１３１ｂに記憶させる。
【０１５１】
Ｃ．設置済みフラグの設定処理
このように設定処理（Ｂ．画像形成装置を設置する場合の設定処理）を行うようにした本実施例では、設置済みフラグの設定を行うことができる。そのため、第１の実施例で説明した設置済みフラグを設定する作業が不要になる。したがって、装置交換時の作業効率をさらに向上させることができる。
【０１５２】
Ｄ．画像形成装置を交換する場合の設定処理
画像形成装置１１０の外部メモリ１３０に設置済みフラグ２０２に「あり」が記憶されている場合の交換時に設定処理は第１の実施例と同様である。
【０１５３】
Ｅ．通常使用時の処理
画像形成装置１１０の外部メモリ１３０に設置済みフラグ２０２に「あり」が記憶されている場合の通常使用時の処理は第１の実施例と同様である。
【０１５４】
以上説明したように、第２の実施例では、第１の実施例の効果に加え、装置交換時の作業効率をさらに向上させることができるという効果が得られる。
【実施例３】
【０１５５】
第３の実施例の構成は、第１の実施例の構成の外部メモリに記憶される設定情報が異なっている。
【０１５６】
まず、第３の実施例のネットワーク接続の構成を図１３の第３の実施例におけるネットワーク接続の構成を示すブロック図に基づいて説明する。
なお、上述した第１の実施例と同様の部分は、同一の符号を付してその説明を省略する。
【０１５７】
図１３（ａ）において、ネットワーク接続構成２００は、画像形成装置１１０ａ、１１０ｂ、１１０ｃと、ホストＰＣ１２１と、外部メモリ１３０ａと、ネットワーク１５０とを有している。
【０１５８】
画像形成装置１１０ａ、１１０ｂ、１１０ｃと、ホストＰＣ１２１とは、ネットワーク１５０を介して通信可能に接続されている。
画像形成装置１１０ａ、１１０ｂ、１１０ｃは、図１に示す画像形成装置１１０と同一の構成を有するものであり、図１に示すネットワーク接続部１１６を介してネットワーク１５０と接続されている。
【０１５９】
また、画像形成装置１１０ａには、図１に示す外部メモリ接続部１１７を介して外部メモリ１３０ａが接続されている。
図１３（ｂ）において、ネットワーク接続構成２０１は、画像形成装置１１０ａ、１１０ｃ、１１０ｅと、ホストＰＣ１２１と、外部メモリ１３０ａと、ネットワーク１５０とを有している。
【０１６０】
画像形成装置１１０ａ、１１０ｃ、１１０ｅと、ホストＰＣ１２１とは、ネットワーク１５０を介して通信可能に接続されている。
画像形成装置１１０ａ、１１０ｃ、１１０ｅは、図１に示す画像形成装置１１０と同一の構成を有するものであり、図１に示すネットワーク接続部１１６を介してネットワーク１５０と接続されている。
【０１６１】
また、画像形成装置１１０ｅには、図１に示す外部メモリ接続部１１７を介して外部メモリ１３０ａが接続されている。
図１３（ｃ）において、ネットワーク接続構成２０２は、画像形成装置１１０ａ、１１０ｂ、１１０ｃ、１１０ｇと、ホストＰＣ１２１と、外部メモリ１３０ａと、ネットワーク１５０とを有している。
【０１６２】
画像形成装置１１０ａ、１１０ｂ、１１０ｃ、１１０ｇと、ホストＰＣ１２１とは、ネットワーク１５０を介して通信可能に接続されている。
画像形成装置１１０ａ、１１０ｂ、１１０ｃ、１１０ｇは、図１に示す画像形成装置１１０と同一の構成を有するものであり、図１に示すネットワーク接続部１１６を介してネットワーク１５０と接続されている。
【０１６３】
また、画像形成装置１１０ｇには、図１に示す外部メモリ接続部１１７を介して外部メモリ１３０ａが接続されている。
図１４は第３の実施例における外部メモリに記憶される情報の説明図である。
図１４において、蓄積通信設定情報としての設定情報２３０は、図１に示す外部メモリ１３０、および図１３に示す外部メモリ１３０ａに記憶される情報である。
【０１６４】
設定情報２３０は、項目２３１と、第１情報２３２と、第２情報２３３とを有し、項目２３１に対応させて、第１情報２３２、および第２情報２３３が記憶されている。
項目２３１は、設定情報に記憶する情報の項目であり、例えば「設置済みフラグ」、「ホストＰＣ」、「プリンタ１」、「プリンタ２」、「プリンタ３」等の項目がある。
【０１６５】
第１情報２３２は、項目２３１が「プリンタ１」、「プリンタ２」、「プリンタ３」等の装置名を有する図１３に示す画像形成装置１１０ａ、１１０ｂ、１１０ｃ等の場合、画像形成装置１１０ａ、１１０ｂ、１１０ｃの識別情報である固有番号（例えば、ＭＡＣアドレス）が記憶される。
【０１６６】
第２情報２３３は、項目２３１が「ホストＰＣ」、「プリンタ１」、「プリンタ２」、「プリンタ３」等の装置名を有する図１３に示すホストＰＣ１２１および画像形成装置１１０ａ、１１０ｂ、１１０ｃ等の場合、ホストＰＣ１２１および画像形成装置１１０ａ、１１０ｂ、１１０ｃ等のＩＰアドレスが記憶される。
【０１６７】
このように、設定情報２３０には、それぞれの画像形成装置の設定情報が蓄積されて記憶される。
【０１６８】
上述した構成の作用について説明する。
【０１６９】
画像形成装置をネットワークに接続する場合に画像形成装置が行う設定処理を図１５の第３の実施例における設定処理の流れを示すフローチャートの図中Ｓで表すステップに従って図１、図１３および図１４を参照しながら説明する。
【０１７０】
Ａ．画像形成装置を設置する場合の初期設定
まず、画像形成装置１１０の初期設定について説明する。
【０１７１】
画像形成装置１１０は、ネットワーク１５０に接続する場合の識別情報としてそれぞれのＭＡＣアドレス（例えば、０Ａ：０Ｂ：０Ｃ：０Ｄ：０Ｅ：０Ｆ等）、ＩＰアドレス（１９２．１６８．０．０）が設定されている。なお、ＭＡＣアドレスの０Ａ〜０Ｆは１６進数である。
【０１７２】
外部メモリ１３０には、設定情報２３０の項目２３１、第１情報２３２、および第２情報２３３、即ち装置名、設置済みフラグ、固有番号、およびＩＰアドレスのすべての情報が記憶されていない状態である。ただし、設置済みフラグには、「なし」が記憶される。
なお、装置の固有番号としてＭＡＣアドレスを用いる例で以下説明する。また、ネットワーク１５０に接続されたホストＰＣ１２１には、ＩＰアドレス（１９２．１６８．１．１）が設定されているものとする。
【０１７３】
Ｂ．画像形成装置を設置する場合の設定処理
次に、図１に示す画像形成装置１１０をネットワーク１５０に接続して設置する場合の設定処理を説明する。例えば、図１３（ａ）に示すネットワーク接続構成２００を構築し、外部メモリ１３０ａが装着された画像形成装置１１０ａを初めて起動する場合の設定処理の流れを説明する。なお、画像形成装置１１０ａ、１１０ｂ、１１０ｃは電源がＯＦＦ（切断）されている状態である。また、外部メモリ１３０ａの設定情報２３０は、何も記憶されていない状態である。
【０１７４】
本実施例では、第１の実施例と同様の処理になる。
【０１７５】
画像形成装置１１０ａは、Ｓ２０１、Ｓ２０２、Ｓ２０３、Ｓ２１１、Ｓ２１３、Ｓ２１５、Ｓ２１８の順に処理を行い、本処理を終了する。
なお、Ｓ２０１、Ｓ２０２、Ｓ２０３、Ｓ２１１、Ｓ２１３、Ｓ２１５、Ｓ２１８の処理は、図７に示すＳ００１、Ｓ００２、Ｓ００３、Ｓ００７、Ｓ０１０、Ｓ０１２、Ｓ０１５と同様の処理なのでその説明を省略する。
【０１７６】
続いて、図１３（ａ）に示す画像形成装置１１０ａの設定情報の変更を行った場合の設定変更処理を説明する。
【０１７７】
本実施例では、第１の実施例と同様の処理になる。
画像形成装置１１０ａは、Ｓ２０９、Ｓ２１０、Ｓ２１３、Ｓ２１５、Ｓ２１６、Ｓ２１７の順に処理を行い、本処理を終了する。
【０１７８】
本実施例では、Ｓ２１６の処理は以下のようになる。
【０１７９】
Ｓ２１６：正常な接続を確認した制御部１１３は、外部メモリ接続部１１７を介して外部メモリ１３０ａに設定情報を記憶させる。ここで、外部メモリ１３０ａの設定情報２３０には、ホストＰＣのＩＰアドレスと、プリンタ１として画像形成装置１１０ａのＩＰアドレス（第２情報２３３）および固有番号としてのＭＡＣアドレス（第１情報２３２）とが記憶される。
【０１８０】
なお、Ｓ２０９、Ｓ２１０、Ｓ２１３、Ｓ２１５、Ｓ２１７の処理は、図７に示すＳ００５、Ｓ００６、Ｓ０１０、Ｓ０１２、Ｓ０１４と同様の処理なのでその説明を省略する。
【０１８１】
次に、画像形成装置１１０ｂの設定処理を説明する。
図１３（ａ）に示すネットワーク接続構成２００において、画像形成装置１１０ａから外部メモリ１３０ａを外し、その外部メモリ１３０ａを画像形成装置１１０ｂに装着した場合の設定処理の流れを説明する。
【０１８２】
Ｓ２０１〜Ｓ２０３：図７に示すＳ００１〜Ｓ００３と同様の処理なのでその説明を省略する。
【０１８３】
Ｓ２０４：外部メモリ１３０ａに設定情報２３０が記憶されていると判定した制御部１１３は、外部メモリ１３０ａの設定情報２３０を読取り、記憶部１１４に記憶されている設定情報と、外部メモリ１３０ａの設定情報２３０とを比較し、設定情報が一致するか否かを判定する。
ここで、制御部１１３は、例えば自装置のＭＡＣアドレスと一致するＭＡＣアドレスが、外部メモリ１３０ａの設定情報２３０の第１情報２３２に存在する場合に設定情報が一致するものとする。
【０１８４】
制御部１１３は、外部メモリ１３０ａの設定情報２３０に画像形成装置１１０ｂのＭＡＣアドレスは記憶されていないため、設定情報が一致しないと判定し、処理をＳ２０５へ移行する。
【０１８５】
Ｓ２０５：設定情報が一致しないと判定した制御部１１３は、外部メモリ１３０ａの設定情報２３０を読取り、設定情報２３０の項目２３１の設置済みフラグに「あり」が記憶されているか否かを判定する。
ここで、制御部１１３は、設置済みフラグ２０２に「あり」が記憶されていないため、制御部１１３は、処理をＳ２０７へ移行する。
【０１８６】
Ｓ２０７：設置済みフラグに「あり」が記憶されていないと判定した制御部１１３は、外部メモリ１３０ａの設定情報２３０に設定されている接続済みのＩＰアドレスを抽出し、抽出したＩＰアドレス（例えば、プリンタ１のＩＰアドレス（１９２．１６８．１．１０１））と重複しないＩＰアドレス（１９２．１６８．１．１０２）を画像形成装置１１０ｂに設定する。
【０１８７】
このとき、制御部１１３は、例えば直前に設定したＩＰアドレスの最下位の値に「１」を加算したＩＰアドレスを設定するものとする。
ＩＰアドレスを画像形成装置１１０ｂに設定した制御部１１３は処理をＳ２１４へ移行する。
【０１８８】
Ｓ２１４：制御部１１３は、設定したＩＰアドレスでネットワーク１５０に接続できるか否かを確認する接続状態確認を行う。
【０１８９】
Ｓ２１５：接続状態確認を行った制御部１１３は、正常に接続できたか否かを判定する。
【０１９０】
この接続状態確認では、制御部１１３は、外部メモリ１３０ａの設定情報２３０のホストＰＣのＩＰアドレス（１９２．１６８．１．１）を記憶部１１４に記憶し、ホストＰＣ１２１に対してコマンドを送信し、接続可能かを判定するため、制御部１１３は、正常な接続を確認することができる。制御部１１３は、処理をＳ２１６へ移行する。
【０１９１】
Ｓ２１６：正常な接続を確認した制御部１１３は、外部メモリ接続部１１７を介して外部メモリ１３０ａに設定情報を記憶させる。ここで、外部メモリ１３０ａの設定情報２３０には、ホストＰＣのＩＰアドレスと、プリンタ１として画像形成装置１１０ａのＩＰアドレスおよびＭＡＣアドレスと、プリンタ２として画像形成装置１１０ｂのＩＰアドレスおよびＭＡＣアドレスとが第２情報２３３および第１情報２３２として記憶される。なお、項目２３１の設置済みフラグは「なし」が記憶されたままである。
【０１９２】
Ｓ２１７：外部メモリ１３０ａに設定情報を記憶させた制御部１１３は、表示部１１１に「正常接続完了」等の文言を表示し、ネットワーク１５０を介してホストＰＣ１２１に接続できたことを報知して画像形成装置１１０ｂの設定変更処理を終了する。
【０１９３】
なお、画像形成装置１１０ｃの設定処理も画像形成装置１１０ｂと同様に行われる。
【０１９４】
図１３（ａ）に示すネットワーク接続構成２００において、画像形成装置１１０ａ、１１０ｂ、１１０ｃの設定処理が完了すると、画像形成装置１１０ａ、１１０ｂ、１１０ｃはネットワーク１５０を介してホストＰＣ１２１と通信可能になり、ホストＰＣ１２１からの設定変更や印刷動作が可能になる。
【０１９５】
また、画像形成装置１１０ａ、１１０ｂ、１１０ｃの他に、画像形成装置１１０と同一の画像形成装置をネットワーク１５０に接続する場合、上述した設定処理を行う。
【０１９６】
Ｃ．設置済みフラグの設定処理
ここで、図１３（ａ）に示すネットワーク接続構成２００において、画像形成装置１１０ａ、１１０ｂ、１１０ｃの設定処理が完了した後、外部メモリ１３０の設定情報２３０に設置済みフラグを設定する処理を図１６の第３の実施例における設定済コマンド受信処理の流れを示すフローチャートの図中Ｓで表すステップに従って図１、図１３（ａ）および図１４を参照しながら説明する。
【０１９７】
まず、図１３（ａ）に示すネットワーク接続構成２００のように、画像形成装置１１０ａに外部メモリ１３０ａを接続する。なお、外部メモリ１３０ａは上述した設定処理が行われているものとする。
次に、ユーザの操作を受け付けたホストＰＣ１２１は、画像形成装置１１０ａに設置済みコマンドを送信する。
【０１９８】
Ｓ３０１：画像形成装置１１０ａの制御部１１３は、ネットワーク１５０およびネットワーク接続部１１６を介してホストＰＣ１２１から設置済みコマンドを受信する。
【０１９９】
Ｓ３０２：制御部１１３は、設置済みコマンドを受信すると、外部メモリ１３０ａの設定情報２３０に記憶されている設置済みフラグ以外の各情報はそのままとし、設置済みフラグに「あり」を記憶し、本処理を終了する。
【０２００】
外部メモリ１３０の設置済みフラグの設定が終了すると、画像形成装置１１０ａ、１１０ｂ、１１０ｃを設置するときに行う設定処理が完了し、設置した画像形成装置１１０ａ、１１０ｂ、１１０ｃをネットワーク１５０に接続した状態で使用することができるようになる。
【０２０１】
このように、外部メモリ１３０ａには、他の情報処理装置である第２の情報処理装置としての画像形成装置１１０により、設置済みフラグが記憶され、それぞれの画像形成装置１１０の設定情報が蓄積された設定情報２３０が記憶される。
なお、画像形成装置１１０ｂまたは画像形成装置１１０ｃに外部メモリ１３０ａを接続して設置済みフラグの設定処理を行うようにしても良い。
【０２０２】
Ｄ．画像形成装置を交換する場合の設定処理
次に、ネットワーク１５０に接続された画像形成装置１１０を交換する場合の設定処理を説明する。図１３（ａ）に示すネットワーク接続構成２００において、ネットワーク１５０に接続された画像形成装置１１０ｂを画像形成装置１１０ｅに交換する場合の設定処理の流れを図１５に基づいて図１、図１３および図１４を参照しながら説明する。
【０２０３】
なお、図１３（ｂ）に示す画像形成装置１１０ｅに装着された外部メモリ１３０ａは、上述したネットワーク１５０に接続して設置する場合の設定処理および設置済みフラグを設定する処理が行われ、外部メモリ１３０ａにはホストＰＣ１２１のＩＰアドレス（１９２．１６８．１．１）と、画像形成装置１１０ａ、１１０ｂ、１１０ｃの固有番号（ＭＡＣアドレス）およびＩＰアドレスと、設置済みフラグに「あり」とが記憶されているものとする。
【０２０４】
また、図１３（ａ）および図１３（ｂ）に示す画像形成装置１１０ｂ、１１０ｅの電源がＯＦＦの状態において、画像形成装置１１０ｂからネットワーク１５０および外部メモリ１３０ａが外され、図１３（ｂ）に示すように画像形成装置１１０ｅに外されたネットワーク１５０および外部メモリ１３０ａが接続されるものとする。
【０２０５】
さらに、上述した設定処理を行って交換される画像形成装置１１０（例えば、画像形成装置１１０ｂ、１１０ｅ）以外の画像形成装置１１０（例えば、画像形成装置１１０ａ、１１０ｃ）はすべて電源がＯＮの状態にする。
【０２０６】
Ｓ２０１：図１３（ｂ）に示す画像形成装置１１０ｅの電源がＯＮ（投入）されると、画像形成装置１１０ｅの制御部１１３は設定処理を開始する。
【０２０７】
Ｓ２０２：制御部１１３は、外部メモリ接続部１１７に外部メモリ１３０ａが接続されているか否かを判定する。制御部１１３は、外部メモリ接続部１１７に外部メモリ１３０ａが接続されていると判定し、処理をＳ２０３へ移行する。
【０２０８】
Ｓ２０３：外部メモリ接続部１１７に外部メモリ１３０ａが接続されていると判定した制御部１１３は、外部メモリ１３０ａに設定情報２３０が記憶されているか否かを判定する。図１３（ｂ）に示す画像形成装置１１０ｅに装着された外部メモリ１３０ａに画像形成装置１１０ｂで設定された設定情報２３０が記憶されているため、制御部１１３は、外部メモリ１３０ａに設定情報２３０が記憶されていると判定し、処理をＳ２０４へ移行する。
【０２０９】
Ｓ２０４：外部メモリ１３０ａに設定情報２３０が記憶されていると判定した制御部１１３は、外部メモリ１３０ａの設定情報２３０を読取り、記憶部１１４に記憶されている設定情報と、外部メモリ１３０ａの設定情報２３０とを比較し、設定情報が一致するか否かを判定する。
ここで、制御部１１３は、例えば外部メモリ１３０ａの設定情報２３０の第１情報２３２に、自装置のＭＡＣアドレスと一致するＭＡＣアドレスが存在する場合に設定情報が一致するものとする。
【０２１０】
制御部１１３は、外部メモリ１３０ａの設定情報２３０に画像形成装置１１０ｅのＭＡＣアドレスは記憶されていないため、設定情報が一致しないと判定し、処理をＳ２０５へ移行する。
【０２１１】
Ｓ２０５：設定情報が一致しないと判定した制御部１１３は、外部メモリ１３０ａの設定情報２３０を読取り、設定情報２３０の項目２３１の設置済みフラグに「あり」が記憶されているか否かを判定する。
ここで、制御部１１３は、設定情報２３０の設置済みフラグに「あり」が記憶されているため、制御部１１３は、処理をＳ２０６へ移行する。
【０２１２】
Ｓ２０６：設定情報２３０の設置済みフラグに「あり」が記憶されていると判定した制御部１１３は、外部メモリ１３０ａの設定情報２３０の第２情報２３２に記憶されているＩＰアドレスと重複しないＩＰアドレス（例えば、１９２．１６８．１．１０４）を画像形成装置１１０ｅに設定する。
【０２１３】
制御部１１３は、設定したＩＰアドレスを自装置のＩＰアドレスとして外部メモリ１３０ａの設定情報２３０の第２情報２３２に記憶されているすべてのＩＰアドレスに対して上述した接続状態確認を行う。
【０２１４】
Ｓ２０８：すべてのＩＰアドレスに対して接続状態確認を行った制御部１１３は、接続に失敗した接続不可のＩＰアドレスがあるか否かを判定する。
【０２１５】
ここで、制御部１１３は、外部メモリ１３０ａの設定情報２３０の第２情報２３２に記憶されているＩＰアドレスの中で画像形成装置１１０ａ、１１０ｃに対しては接続に成功するが、画像形成装置１１０ｂは交換されているため接続に失敗する。制御部１１３は、接続に失敗したＩＰアドレスがあると判定し、処理をＳ２１２へ移行する。
【０２１６】
Ｓ２１２：接続に失敗したＩＰアドレスがあると判定した制御部１１３は、接続に失敗した画像形成装置１１０ｂのＩＰアドレス（１９２．１６８．１．１０２）を記憶部１１４に記憶し、画像形成装置１１０ｅに再設定する。
【０２１７】
Ｓ２１４：制御部１１３は、設定したＩＰアドレスでネットワーク１５０に接続できるか否かを確認する接続状態確認を行う。
【０２１８】
このように、画像形成装置１１０ｅの制御部１１３は、設置済みフラグが完了を表す場合、設定情報２３０のそれぞれの設定情報に含まれる宛先（ＩＰアドレス）を送信先としてネットワーク接続部１１６で通信確認を行い、通信不可と判定された宛先を含む画像形成装置１１０ｂの設定情報を自情報処理装置である第１の情報処理装置としての画像形成装置１１０ｅの設定情報としてネットワーク接続部１１６に設定して通信を行う。
【０２１９】
Ｓ２１５：接続状態確認を行った制御部１１３は、正常に接続できたか否かを判定する。
【０２２０】
この接続状態確認では、制御部１１３は、外部メモリ１３０ａの設定情報２３０のホストＰＣのＩＰアドレス（１９２．１６８．１．１）を記憶部１１４に記憶し、ホストＰＣ１２１に対してコマンドを送信し、接続可能かを判定するため、制御部１１３は、正常な接続を確認することができる。制御部１１３は、処理をＳ２１６へ移行する。
【０２２１】
Ｓ２１６：正常な接続を確認した制御部１１３は、外部メモリ接続部１１７を介して外部メモリ１３０ａに設定情報を記憶させる。ここで、外部メモリ１３０ａの設定情報２３０の第１情報２３２には、画像形成装置１１０ｂの固有番号に替えて画像形成装置１１０ｅの固有番号（ＭＡＣアドレス）が記憶される。
【０２２２】
Ｓ２１７：外部メモリ１３０に設定情報を記憶させた制御部１１３は、表示部１１１に「正常接続完了」等の文言を表示し、ネットワーク１５０を介してホストＰＣ１２１に接続できたことを報知して画像形成装置１１０ｅの設定変更処理を終了する。
【０２２３】
Ｅ．通常使用時の処理
画像形成装置１１０がネットワーク１５０に接続されて通常に使用される場合、例えば図１３（ａ）に示すネットワーク接続構成２００で使用される場合の処理を説明する。
外部メモリ１３０ａが接続された画像形成装置１１０ａの電源をＯＮすると、図１５のＳ２０１、Ｓ２０２、Ｓ２０３、Ｓ２０４が行われる。
【０２２４】
Ｓ２０４において、画像形成装置１１０ａの設定情報は外部メモリ１３０ａに記憶されているため、制御部１１３は設定情報が一致すると判定し、Ｓ２１１において装置内部のＩＰアドレスを設定し、接続する。
【０２２５】
なお、外部メモリ１３０ａが接続されていない場合、制御部１１３はＳ２０２において外部メモリ接続なしと判定し、Ｓ２１１において装置内部のＩＰアドレスを設定し、接続する。
【０２２６】
制御部１１３は、以降、Ｓ２１３、Ｓ２１５、Ｓ２１６、Ｓ２１７の処理を行い、設定処理を終了する。なお、外部メモリ１３０ａが接続されていない場合、制御部１１３は接続に失敗し、Ｓ２１８の処理を行い、本処理を終了する。
なお、設定を変更する場合、設定変更を行う画像形成装置１１０に外部メモリ１３０ａを接続した状態で行い、制御部１１３は上述した設定変更処理を行う。
【０２２７】
Ｆ．通常使用後に画像形成装置を増設する場合の設定処理
次に、ネットワーク１５０に接続された画像形成装置１１０を増設する場合の設定処理を説明する。
【０２２８】
まず、設置済みフラグの解除処理を行う。
【０２２９】
図１３（ａ）に示すネットワーク接続構成２００において、ネットワーク１５０に接続する画像形成装置１１０ｇを増設する場合の設定処理の流れを図１７の第３の実施例における設定済解除コマンド受信処理の流れを示すフローチャートに基づいて図１、図１３および図１４を参照しながら説明する。
【０２３０】
まず、図１３（ａ）に示すネットワーク接続構成２００のように、画像形成装置１１０ａに外部メモリ１３０ａを接続する。なお、外部メモリ１３０ａは上述した設定処理が行われているものとする。
次に、ユーザの操作を受け付けたホストＰＣ１２１は、画像形成装置１１０ａに設置済み解除コマンドを送信する。
【０２３１】
Ｓ４０１：画像形成装置１１０ａの制御部１１３は、ネットワーク１５０およびネットワーク接続部１１６を介してホストＰＣ１２１から設置済み解除コマンドを受信する。
【０２３２】
Ｓ４０２：制御部１１３は、設置済み解除コマンドを受信すると、外部メモリ１３０ａの設定情報２３０に記憶されている設置済みフラグに「なし」を記憶し、本処理を終了する。
なお、画像形成装置１１０ｂまたは画像形成装置１１０ｃに外部メモリ１３０ａを接続して設置済みフラグの解除処理を行うようにしても良い。
【０２３３】
次に、図１３（ｃ）に示すネットワーク接続構成２０２のように、増設する画像形成装置１１０ｇにネットワーク１５０および設置済みフラグに「なし」を記憶した外部メモリ１３０ａを接続する。
【０２３４】
図１３（ｃ）に示すネットワーク接続構成２０２において、画像形成装置１１０ｇの電源をＯＮし、設定処理を開始する。
【０２３５】
外部メモリ１３０ａの設置済みフラグは「なし」が記憶されているため、図１３（ａ）に示すネットワーク接続構成２００において画像形成装置１１０ｂを設定する上述した設定処理（Ｂ．画像形成装置を設置する場合の設定処理）と同じ設定処理が行われ、増設する画像形成装置１１０ｇの設定処理が行われる。
【０２３６】
なお、画像形成装置１１０ｇの他に、画像形成装置１１０を増設する場合も上述した設定処理と同じ処理が行われ、画像形成装置１１０の設定処理が行われる。
また、すべての画像形成装置１１０の設定処理が終了すると、上述した設置済みフラグの設定処理を行い、外部メモリ１３０ａの設置済みフラグに「あり」を記憶させ、増設の設定処理は終了する。
【０２３７】
このように、本実施例では、１つの外部メモリ１３０で画像形成装置１１０のネットワーク１５０への接続設定を行うことができるようにしたことにより、装置交換時の作業効率をさらに向上させることができる。
【０２３８】
以上説明したように、第３の実施例では、第１の実施例の効果に加え、装置交換時の作業効率をさらに向上させることができるという効果が得られる。
【実施例４】
【０２３９】
第４の実施例の構成は、第３の実施例の構成と同様であるので、同一の符号を付してその説明を省略する。
【０２４０】
なお、第４の実施例は、第３の実施例における図１５のＳ２０４において、図１に示す制御部１１３が記憶部１１４に記憶されている設定情報と、図１４に示す外部メモリ１３０の設定情報２３０とを比較し、設定情報が一致すると判定した場合の処理が第３の実施例と異なっている。
【０２４１】
上述した構成の作用について説明する。
画像形成装置をネットワークに接続する場合に画像形成装置が行う設定処理を図１、図１３、および図１４を参照しながら説明する。
【０２４２】
Ａ．画像形成装置を設置する場合の初期設定
画像形成装置１１０の初期設定は、第３の実施例と同様である。
【０２４３】
Ｂ．画像形成装置を設置する場合の設定処理
また、画像形成装置１１０をネットワーク１５０に接続して設置する場合の設定処理も第３の実施例と同様である。
【０２４４】
Ｃ．設置済みフラグの設定処理
次に、図１３（ａ）に示すネットワーク接続構成２００において、画像形成装置１１０ａ、１１０ｂ、１１０ｃの設定処理が完了した後、外部メモリ１３０ａの設定情報２３０に設置済みフラグを設定する処理を図１８の第４の実施例における設定処理の流れを示すフローチャートの図中Ｓで表すステップに従って図１、図１３、および図１４を参照しながら説明する。
【０２４５】
なお、図１８におけるＳ５０５〜Ｓ５１８の処理は、図１５におけるＳ２０５〜Ｓ２１８と同様の処理なのでその説明を省略する。
すべての画像形成装置１１０（１１０ａ、１１０ｂ、１１０ｃ）の設定処理が完了した後、図１３（ａ）に示すネットワーク接続構成２００において、外部メモリ１３０ａを画像形成装置１１０ａに再接続し、画像形成装置１１０ａを再起動するものとする。
【０２４６】
なお、外部メモリ１３０ａは、設定処理を行った画像形成装置であれば画像形成装置１１０ｂ、１１０ｃに接続するようにしても良い。
【０２４７】
Ｓ５０１：図１３（ａ）に示す画像形成装置１１０ａの電源がＯＮ（投入）されると、画像形成装置１１０ａの制御部１１３は設定処理を開始する。
【０２４８】
Ｓ５０２：制御部１１３は、外部メモリ接続部１１７に外部メモリ１３０ａが接続されているか否かを判定する。制御部１１３は、外部メモリ接続部１１７に外部メモリ１３０ａが接続されていると判定し、処理をＳ５０３へ移行する。
【０２４９】
Ｓ５０３：外部メモリ接続部１１７に外部メモリ１３０ａが接続されていると判定した制御部１１３は、外部メモリ１３０ａに設定情報２３０が記憶されているか否かを判定する。設定処理が完了している図１３（ａ）に示す画像形成装置１１０ａに装着された外部メモリ１３０ａに設定情報２３０が記憶されているため、制御部１１３は、外部メモリ１３０ａに設定情報２３０が記憶されていると判定し、処理をＳ５０４へ移行する。
【０２５０】
Ｓ５０４：外部メモリ１３０ａに設定情報２３０が記憶されていると判定した制御部１１３は、外部メモリ１３０ａの設定情報２３０を読取り、記憶部１１４に記憶されている設定情報と、外部メモリ１３０ａの設定情報２３０とを比較し、設定情報が一致するか否かを判定する。
【０２５１】
ここで、制御部１１３は、例えば外部メモリ１３０ａの設定情報２３０の第１情報２３２に、自装置のＭＡＣアドレスと一致するＭＡＣアドレスが存在する場合に設定情報が一致するものとする。
制御部１１３は、記憶部１１４に記憶されている設定情報と、外部メモリ１３０ａの設定情報２３０が一致すると判定し、処理をＳ５３１へ移行する。
【０２５２】
Ｓ５３１：制御部１１３は、外部メモリ１３０ａの設定情報２３０を読取り、設定情報２３０の項目２３１の設置済みフラグに「あり」が記憶されているか否かを判定する。
ここで、制御部１１３は、設定情報２３０の設置済みフラグに「なし」が記憶されているため、制御部１１３は、処理をＳ５３２へ移行する。
【０２５３】
Ｓ５３２：制御部１１３は、外部メモリ１３０ａの設定情報２３０の設置済みフラグに「あり」を記憶し、処理をＳ５１１へ移行する。
なお、Ｓ５１１以降の処理は、第３の実施例で説明した通常使用時の処理と同様の処理となる。
【０２５４】
また、上述した設定処理では、外部メモリ１３０ａを画像形成装置１１０ａに接続した場合で説明したが、設置済みである他の画像形成装置１１０（例えば、画像形成装置１１０ｂ、１１０ｃ）の場合も同様の処理となる。
【０２５５】
このように、本実施例では、第３の実施例で説明した設置済みフラグを設定する作業が不要になる。したがって、装置交換時の作業効率をさらに向上させることができる。
【０２５６】
Ｄ．画像形成装置を交換する場合の設定処理
画像形成装置１１０の外部メモリ１３０の設置済みフラグに「あり」が記憶されている場合の交換時の設定処理は第３の実施例と同様である。
【０２５７】
Ｅ．通常使用時の処理
画像形成装置１１０の外部メモリ１３０の設置済みフラグに「あり」が記憶されている場合の通常使用時の処理は第３の実施例と同様である。
【０２５８】
Ｆ．通常使用後に画像形成装置を増設する場合の設定処理
上述した「Ｂ．画像形成装置を設置する場合の設定処理」、および「Ｃ．設置済みフラグの設定処理」の設定処理によって図１３（ａ）に示すネットワーク接続構成２００で通常の使用を開始した後、新たに画像形成装置１１０を増設する場合、第３の実施例の「Ｆ．通常使用後に画像形成装置を増設する場合の設定処理」と同じ設定処理により設置済みフラグの解除、増設した画像形成装置１１０の設定処理を行うものとする。
【０２５９】
すべての画像形成装置１１０の設定処理が完了した後、上述した「Ｃ．設置済みフラグの設定処理」を行い、外部メモリ１３０ａに設置済みフラグを記憶させ、増設の設定処理を終了する。
以上説明したように、第４の実施例では、第３の実施例の効果に加え、装置交換時の作業効率をさらに向上させることができるという効果が得られる。
【０２６０】
なお、第１の実施例から第４の実施例では、情報処理装置を画像形成装置として説明したが、それに限られるものでなく、通信回線に接続されるものであれば、パーソナルコンピュータ等のコンピュータや携帯型情報端末等であっても良い。
また、画像形成装置をプリンタとして説明したが、それに限られるものでなく、複写機、ファクシミリ装置、または複合機（ＭＦＰ）等としても良い。
【符号の説明】
【０２６１】
１１０ａ、１１０ｂ、１１０ｃ、１１０ｄ、１１０ｅ  画像形成装置
１１１  表示部
１１２  操作部
１１３  制御部
１１４  記憶部
１１５  印刷部
１１６  ネットワーク接続部
１１７  外部メモリ接続部
１１８  電源部
１２１  ホストＰＣ
１３０、１３０ａ、１３１ａ、１３１ｂ、１３１ｃ、１３１ｄ  外部メモリ
１５０  ネットワーク
２００、２３０  設定情報
２１０  接続情報
【図１】
2018167414.tif 000003
【図２】
2018167414.tif 000004
【図３】
2018167414.tif 000005
【図４】
2018167414.tif 000006
【図５】
2018167414.tif 000007
【図６】
2018167414.tif 000008
【図７】
2018167414.tif 000009
【図８】
2018167414.tif 000010
【図９】
2018167414.tif 000011
【図１０】
2018167414.tif 000012
【図１１】
2018167414.tif 000013
【図１２】
2018167414.tif 000014
【図１３】
2018167414.tif 000015
【図１４】
2018167414.tif 000016
【図１５】
2018167414.tif 000017
【図１６】
2018167414.tif 000018
【図１７】
2018167414.tif 000019
【図１８】
2018167414.tif 000020